(57)【要約】    【課題】梱包作業を容易に行うことのできる段ボール箱を提供すること。    【解決手段】段ボール箱１は、開口８を塞ぐための、２組のフラップ対６を有している。２組のフラップ対６は、内フラップ対１０と、外フラップ対１１とを含んでいる。内フラップ対１０は、２枚の内フラップ１００を有している。外フラップ対１１は、２枚の外フラップ１１０を有している。各外フラップ１１０の先端両角に、突起部１２が設けられている。各内フラップ１００の基端部の中央には、切り込み１３が設けられている。開口８を塞ぐ際、各内フラップ１００と、各外フラップ１１０とを重ね合わせ、各突起部１２を、対応する切り込み１３に係止する。    【効果】手を使わずに、外フラップ対１１が開口８から浮き上がらないようにすることができる。    【選択図】            図５
2006206119.tif 000002
【特許請求の範囲】
【請求項１】
四角形の開口と、
この開口を塞ぐために、開口の縁に沿って折り曲げ可能に設けられた、互いに対向する開口縁から折り曲げられる２組のフラップ対とを有し、
一方のフラップ対は、先に折り曲げられる内フラップ対、他方のフラップ対は、後から折り曲げられる外フラップ対を構成しており、
外フラップ対は、折り曲げられたときに、少なくとも両側部分は内フラップ対に重なり、その先端辺同士が接触可能にされている段ボール箱において、
各外フラップの先端両角に突出部が形成されており、
各内フラップには、折り曲げられて重なる外フラップの上記突出部と係止し得る切り込みが形成されていることを特徴とする段ボール箱。
【請求項２】
上記各外フラップは、先端両角だけが突出するように、各外フラップの両側部分が切り欠かれていることを特徴とする請求項１記載の段ボール箱。
【発明の詳細な説明】
【技術分野】
【０００１】
この発明は、製品の梱包などに用いられる段ボール箱に関する。
【背景技術】
【０００２】
通常、プリンタ用の回路基板などの小形の製品の梱包は、人が持ち上げることができる程度の大きさの段ボール箱を用いて行われる。このような段ボール箱は、全体が１枚の段ボールを用いて一体的に形成されており、４つの側板と、４つの側板の上端縁に区画された開口と、開口を覆うための蓋とを有している（たとえば、特許文献１参照）。
蓋は、各側板の上端から延びる板部材（フラップ）によって形成されており、互いに向かい合う２枚の下板と、互いに向かい合う２枚の上板とを有している。２枚の下板を開口に沿わせた後、２枚の上板を開口に沿わせることで、開口に蓋がされ、この状態で２枚の上板をテープで固定することで、蓋が開かないようにされる。
【特許文献１】特開２００４−２０３４７２号公報
【発明の開示】
【発明が解決しようとする課題】
【０００３】
２枚の上板（フラップ）は、それぞれ、側板に対して折り曲げられた状態で開口を塞いでいるため、折り曲げられる前の状態に戻ろうとする力で、開口から浮き上がろうとする。したがって、２枚の上板をテープで固定する際、これらの上板を片手で押さえた不自由な状態で、テープを取り扱わなければならず、梱包作業に手間取ってしまう。
また、開口を塞いだ後、２枚の上板の先端辺同士が略平行になるように位置合わせをして、段ボール箱に歪みがでないようにしなければならず、梱包作業にかかる工数が多くなってしまう。
【０００４】
この発明は、かかる背景のもとでなされたもので、梱包作業を容易に行うことのできる段ボール箱を提供することを目的とする。
また、この発明の別の目的は、梱包作業にかかる工数を低減することのできる段ボール箱を提供することにある。
【課題を解決するための手段】
【０００５】
上記の目的を達成するための請求項１記載の発明は、四角形の開口（８）と、この開口を塞ぐために、開口の縁に沿って折り曲げ可能に設けられた、互いに対向する開口縁から折り曲げられる２組のフラップ対（６）とを有し、一方のフラップ対は、先に折り曲げられる内フラップ対（１０）、他方のフラップ対は、後から折り曲げられる外フラップ対（１１）を構成しており、外フラップ対は、折り曲げられたときに、少なくとも両側部分（１１１；１１１Ａ；１１１Ｂ）は内フラップ対に重なり、その先端辺同士が接触可能にされている段ボール箱（１）において、各外フラップ（１１０；１１０Ａ；１１０Ｂ）の先端両角に突出部（１２）が形成されており、各内フラップ（１００）には、折り曲げられて重なる外フラップの上記突出部と係止し得る切り込み（１３）が形成されていることを特徴とする段ボール箱である。
【０００６】
なお、括弧内の英数字は、後述の実施形態における対応構成要素等を表す。以下、この項において同じ。
この構成によれば、外フラップ対と内フラップ対とを重ね合わせて開口を塞ぎ、突起部を切り込みに係止させることで、外フラップ対と内フラップ対とを繋いで仮止めをすることができる。これにより、手を使わずに、外フラップ対が開口から浮き上がらないように保持することができる。したがって、テープなどを用いて外フラップ対を固定する作業を、両手を使って楽にでき、梱包作業を容易に行うことができる。
【０００７】
また、開口を塞ぐ際に、突起部を切り込みに係止させることで、各外フラップを所定の位置に位置決めすることができるため、外フラップの位置合わせ作業を別途行う必要がなく、梱包作業にかかる工数を低減することができる。
請求項２記載の発明は、上記各外フラップは、先端両角だけが突出するように、各外フラップの両側部分が切り欠かれていることを特徴とする請求項１記載の段ボール箱である。
【０００８】
この構成によれば、先端両角の突起部を持ち易くすることができるため、突起部と切り込みとの係止をより容易に行うことができる。
【発明を実施するための最良の形態】
【０００９】
以下には、図面を参照して、この発明の実施形態について具体的に説明する。
図１は、この発明の一実施形態にかかる段ボール箱の概略構成を示す斜視図である。段ボール箱１は、プリンタに備えられる回路基板などの、比較的小形の製品を梱包するためのものであり、人が持ち運ぶことができる程度の大きさを有している。
段ボール箱１は、１枚の段ボールを用いて一体的に形成されており、４つの側面壁２，３，４，５と、４つの側面壁２〜５の上方に配置される２組のフラップ対６と、４つの側面壁２〜５の下方に配置される２組のフラップ対７とを有している。
【００１０】
なお、この実施形態において、上または下というときは、図１の上下方向ＵＤに沿う上または下をいうものとする。また、２組のフラップ対６と、２組のフラップ対７とは、互いに同様の構成を有しているため、以下では、主に２組のフラップ対６について、説明する。
各側面壁２〜５は、矩形状に形成されており、隣り合う側面壁同士は、互いに直交するように接続されている。４つの側面壁２〜５によって、製品（図示せず）を収容するための収容空間Ｓが区画されている。
【００１１】
４つの側面壁２〜５のうち、互いに対向する一対の側面壁２，３は、側面視において、横長に形成されている。また、４つの側面壁２〜５のうち、互いに対向する一対の側面壁４，５は、側面視において、略正方形状に形成されている。これにより、平面視において、４つの側面壁２〜５は、長方形状にされており、これら４つの側面壁２〜５の上端縁によって、四角形（長方形）の開口８が区画されている。同様に、４つの側面壁２〜５の下端縁によって、四角形の開口９が区画されている。
【００１２】
２組のフラップ対６は、開口８を塞ぐためのものであり、一方のフラップ対としての内フラップ対１０と、他方のフラップ対としての外フラップ対１１とを有している。開口８を塞ぐ際、内フラップ対１０は、４つの側面壁２〜５に対して先に折り曲げられるものであり、外フラップ対１１は、４つの側面壁２〜５に対して、内フラップ対１０の後から折り曲げられるものである。
【００１３】
内フラップ対１０は、互いに対向する一対の側面壁４，５の上端縁に沿って延設された、２枚の内フラップ１００を有している。各内フラップ１００は、対応する側面壁４，５の上端縁（開口８の縁）に沿って折り曲げ可能にされており、開口８に沿わされ得るようになっている。各内フラップ１００は、矩形状に形成されており、対応する側面壁４，５の上端縁に接続された一辺側が基端部とされ、これに平行な他辺側が先端部とされている。
【００１４】
外フラップ対１１は、互いに対向する一対の側面壁２，３の上端縁に沿って延設された、２枚の外フラップ１１０を有している。各外フラップ１１０は、対応する側面壁２，３の上端縁（開口８の縁）に沿って折り曲げ可能にされており、開口８に沿わされ得るようになっている。
各外フラップ１１０は、対応する側面壁２，３の上端縁の延びる方向に長い、長方形状に形成されており、対応する側面壁２，３の上端縁に接続された一辺側が基端部とされ、これに平行な他辺側が先端部とされている。
【００１５】
内フラップ対１０の各内フラップ１００を折り曲げた後に、外フラップ対１１の各外フラップ１１０を折り曲げると、図２に示すように、各外フラップ１１０の長手方向の両側部分１１１は、対応する内フラップ１００（内フラップ対１０）と重なる。また、各外フラップ１１０の先端辺同士が、接触する。これにより、開口８は、塞がれる。
図３は、図１の矢印Ａ方向に見た段ボール箱１の要部の側面図である。図１および図３を参照して、この実施形態の特徴の１つは、内フラップ対１０と外フラップ対１１とを重ね合わせて開口８を塞いだときに、これら内フラップ対１０および外フラップ対１１が開口８から浮き上がらないように、仮止めできるようになっている点にある。
【００１６】
具体的には、外フラップ対１１の各外フラップ１１０に突起部１２が設けられ、かつ、内フラップ対１０の各内フラップ１００に、切り込み１３が設けられており、各突起部１２を対応する切り込み１３によって係止できるようにされている。
突起部１２は、各外フラップ１１０の両側部分１１１の先端部（先端両角）に形成されている（図３において、一方の外フラップ１１０のみを図示）。各外フラップ１１０の両側部分１１１は、先端部を除いて切り欠かれており、先端両角、すなわち、各突起部１２だけが、外フラップ１１０の長手方向の外側に突出している。
【００１７】
これにより、各外フラップ１１０の基端部の全長は、対応する側面壁２，３の上端縁の全長よりも短くされている。また、各外フラップ１１０の先端部の全長は、対応する側面壁２，３の上端縁の全長よりも、短くされている。
各突起部１２の形状は、たとえば、扇状をしており、各外フラップ１１０の先端部から基端部に向かうに従って、各外フラップ１１０の長手方向の全長が短くなるようにされている。なお、各突起部１２の形状は、矩形状とされていてもよい。
【００１８】
図４は、図１の内フラップ対１０の要部の拡大図である。図１および図４を参照して、切り込み１３は、各内フラップ１００の基端部の中央に形成されている。内フラップ対１０および外フラップ対１１が折り曲げられて重ね合わされたときに、各切り込み１３は、各外フラップ１１０の対応する突起部１２と係止するようにされている（図４において、一方の内フラップ１００のみを図示）。
【００１９】
各切り込み１３は、たとえば、コ字状に形成されている。各内フラップ１００のうち、その切り込み１３に囲まれた部分は、他の部分に対して折り曲げられており、折り曲げ片１４とされている。なお、各切り込み１３は、コ字状以外の形状（Ｕ字状など）であってもよい。また、折り曲げ片１４を切り取って無くしてもよい。
以上が段ボール箱１の概略構成である。段ボール箱１を用いて製品を梱包する作業は、以下のようにして行われる。まず、図１に示すように、段ボール箱１の開口９を塞いだ状態で、開口８を開いておき、製品を収容空間Ｓに収容する。
【００２０】
次に、開口８を塞ぐ。具体的には、各内フラップ１００を、対応する側面壁４，５に対して折り曲げて、開口８に沿わせる。そして、図５に示すように、一方の外フラップ１１０（図５において、右側の外フラップ１１０）を対応する側面壁２に対して折り曲げて、各内フラップ１００と重ね合わせる。このとき、一方の外フラップ１１０の各突起部１２を、各内フラップ１００の対応する切り込み１３に差し込み、これらの突起部１２を係止する。これにより、一方の外フラップ１１０と内フラップ対１０とを連結して、一方の外フラップ１１０が開口８から浮き上がらないようにする。このとき、一方の外フラップ１１０各突起部１２は、対応する切り込み１３と折り曲げ片１４とによって挟まれている。
【００２１】
次に、他方の外フラップ１１０（図５において、左側の外フラップ１１０）を対応する側面壁３に対して折り曲げて、各内フラップ１００と重ね合わせる。このとき、他方の外フラップ１１０の各突起部１２を、各内フラップ１００の対応する切り込み１３に差し込み、これらの突起部１２を係止する。これにより、他方の外フラップ１１０と内フラップ対１０とを連結して、他方の外フラップ１１０が開口８から浮き上がらないようにする。このとき、他方の外フラップ１１０の各突起部１２は、対応する切り込み１３と折り曲げ片１４とによって挟まれている。
【００２２】
図２に示すように、外フラップ対１１が開口８から浮き上がらない状態にした後で、両手を使って、テープなどを各外フラップ１１０に貼り付けて、外フラップ対１１を固定する。なお、開口９を塞ぐ際の手順は、開口８を塞ぐ際の手順と同様である。
以上説明したように、この実施形態によれば、外フラップ対１１と内フラップ対１０とを重ね合わせて開口８を塞ぎ、各突起部１２を対応する切り込み１３に係止させることで、外フラップ対１１と内フラップ対１０とを繋いで仮止めをすることができる。
【００２３】
これにより、手を使わずに、外フラップ対１１が開口８から浮き上がらないように保持することができる。したがって、テープなどを用いて外フラップ対１１を固定する作業を、両手を使って楽にでき、製品の梱包作業を容易に行うことができる。
また、開口８を塞ぐ際に、各突起部１２を対応する切り込み１３に係止させることで、各外フラップ１１０を所定の位置に位置決めすることができるため、外フラップ１１０の位置合わせ作業を別途行う必要がなく、梱包作業にかかる工数を低減することができる。
【００２４】
さらに、各外フラップ１１０は、その突起部１２だけが突出するように、その両側部分１１１が切り欠かれている。このため、各突起部１２を持ち易くすることができ、各突起部１２と対応する切り込み１３との係止をより容易に行うことができる。
また、各突起部１２を、対応する切り込み１３と折り曲げ片１４とによって挟みこむことで、対応する切り込み１３から外れてしまうことを確実に防止できる。
【００２５】
この発明は、以上の実施形態の内容に限定されるものではなく、請求項記載の範囲内において種々の変更が可能である。
たとえば、図６に示すように、各外フラップ１１０Ａの基端部の長手方向の全長を、対応する側面壁の上端縁の全長と同じにするとともに、各外フラップ１１０Ａの長手方向の全長を、基端部から先端部に向かうにしたがい連続的に少なくするようにしてもよい。これにより、各外フラップ１１０Ａが開口８を覆う領域をより多くすることができ、開口８をより確実に塞ぐことができる。
【００２６】
また、図７に示すように、各外フラップ１１０Ｂの先端両角近傍の一部のみを切り欠いて、突起部１２を形成してもよい。この場合も、各外フラップ１１０Ｂが開口８を覆う領域をより多くすることができ、開口８をより確実に塞ぐことができる。
さらに、上記各実施形態において、各内フラップ１００をより大きく形成し、外フラップ対１１を折り曲げたときに、その全部が内フラップ対１０に重なるようにしてもよい。
【図面の簡単な説明】
【００２７】
【図１】この発明の一実施形態にかかる段ボール箱の概略構成を示す斜視図である。
【図２】この発明の一実施形態にかかる段ボール箱の概略構成を示す斜視図であり、開口が塞がれた状態を示している。
【図３】図１の矢印Ａ方向に見た段ボール箱の要部の側面図である。
【図４】図１の内フラップ対の要部の拡大図である。
【図５】開口を塞ぐ手順について説明するための斜視図である。
【図６】この発明の別の実施形態の要部の側面図である。
【図７】この発明のさらに別の実施形態の要部の側面図である。
【符号の説明】
【００２８】
１  段ボール箱
６  ２組のフラップ対
８  開口
１０  内フラップ対
１１  外フラップ対
１２  突出部
１３  切り込み
１００  内フラップ
１１０，１１０Ａ，１１０Ｂ  外フラップ
１１１，１１１Ａ，１１１Ｂ  両側部分
【図１】
2006206119.tif 000003
【図２】
2006206119.tif 000004
【図３】
2006206119.tif 000005
【図４】
2006206119.tif 000006
【図５】
2006206119.tif 000007
【図６】
2006206119.tif 000008
【図７】
2006206119.tif 000009